(57)【要約】【課題】同一表示面で、多数枚のポスターや写真の表示を自在に切り替え可能にする。ポスターや写真の貼り替え作業を必要とせずに同一表示面での表示替えが簡単に実現できる。【解決手段】ポスターや写真を半分に分割して、表示、格納を行う。予め、多数枚のポスターを半分に分割して表示面の背面に隠して用意しておき、この中から目的の一枚の半部づつを表示面に取り出して表示する。【選択図】  図１
2005031362.tif 000002
【特許請求の範囲】
【請求項１】
多数枚のポスターを半分に分割して、表示、収納するポスター分割表示収納システムであって、表示面の裏面に収納部を有する表示兼収納枠を、この分割したポスターの分割縁を対称に左右又は上下に対向して前後に移動可能に設置し、一方の表示兼収納枠の収納部に収納したポスターを他方の表示収兼納枠の表示面に送出して表示し、一方の表示兼収納枠の表示面に表示したポスターを他方の収納部に挿入して収納する事により、このポスター約一枚分の表示面積で多数枚のポスターの中から任意の一枚を表示可能な多数枚ポスター表示システム
【発明の詳細な説明】
【０００１】
【本発明の技術分野】本発明はポスターや広告看板の表示装置に関する。
【０００２】
【従来の技術】従来、ポスターや広告写真を表示する際に於いては、壁に直接貼り付けたり、台紙等に貼り付けてこれを取り外ししたりして表示していた
【０００３】このため、別のポスターや広告看板を同じ場所に表示し直す際には（以下表示替えと称す）、このポスターの上に張り付けたり、張り付けていたポスターを剥がし、この剥がした位置に別のポスターを表示し直す必要があった。
この様に、表示替えは手間のかかる作業であり、簡単に表示替えの出来るポスター表示装置があれば非常に便利である。
【０００４】
【本発明が解決する課題】本発明に於いては、張り替える作業を必要とせず、予めセットしておいた多数枚のポスターの中から、任意の一枚のポスターを選択して表示する事を可能にする。これにより、剥がしたり、張り付けたりする手間のかかる表示替えの作業無しに、表示替えを行う事が出来るのである。そしてポスター一枚分のスペースでこれを実現出来るので、ポスター表示していた従来通りの場所で本発明を設置する事が可能となる。
【０００５】
【課題を解決する手段】表示すべき多数枚のポスターを左右に半分に分割し、この半分づつを、表示面の背面に予め収納し表示準備しておく。そして表示の際はこれを取り出して、左右の表示面に半分づつ対向表示して一枚分のポスター表示をする。
【０００６】右側のポスターを表示し左側のポスターを収納する右枠と、左側のポスターを表示し右側のポスターを収納する左枠とをポスターの分割縁を対称軸に対向して設置し、この双方に分割ポスター表示するのである。
【０００７】つまり、左半分のポスターは右枠の背面に隠して収納しておき、右半分のポスターは左枠の背面に隠して収納しておく。そして表示する際には、左枠の背面に隠した右半分のポスターを右枠に送り出し、右枠の背面に隠した左半分のポスターを左枠に送り出して一枚のポスター表示が完成するのである。
【０００８】表示、収納する際には、収納した多数枚のポスターの一枚を選択するために、右枠と左枠を前後に移動させ、表示面と任意のポスター一枚とを一致させて送り出す事により、多数枚のポスターから任意の一枚の表示が可能になるのである。
【０００９】
【実施例】以下、三枚のポスターを、左右に半分に分轄して表示、収納する本発明の実施例について説明する。
【００１０】左半分ポスターを表示する左枠表示部１５０と、この背面に位置し右半分ポスターを収納するための左枠収納部１１０〜１３０からなる左枠１００と、
【００１１】ポスターの右半分を表示する右枠表示部２５０と、この背面に位置し、左半分のポスターを収納するための右枠収納部２１０〜２３０からなる右枠２００とは、
【００１２】ポスター分割縁を対向軸に対向して設置され、一枚のポスター表示枠を形成するのであり、２枚に分割されたポスターが左右の表示部に表示され、合わさって一枚のポスターを表示する。
【００１３】対向して設置される左枠１００と右枠２００とは、左右の枠移動用アクチュエータ６００により、前後に移動する事が可能であり、これにより収納された多数枚ポスターの中から任意の一枚を選択し、この分割縁と他方の表示部を合致させて、ポスターを送出する事が可能となるのである。
【００１４】台紙に貼りける等して、自立する程度の硬さを有する左半分ポスター１１５〜１３５と、右半分ポスター２１５〜２３５は、枠の底部に配置さたローラーベアリング４００上を滑り、一方の表示部と他方の収納部の間を行き来する事が可能となっている。
【００１５】図１〜図３に示す初期状態に於いては、分割された３枚のポスターのうちの左半分の３枚が右枠収納部に、右半分の３枚が左枠収納部にそれぞれ収納されており、左右の表示部にはポスターは無く、無表示状態にある。つまり、すべてのポスターは表示部背面に隠された状態にある。
【００１６】初期状態である無表示状態から、左右の枠収納部に収納されたポスターの任意の半分の一枚を、左右の表示部に送出して表示する事により左右一対で表示が成されるのである。
【００１７】まず、左収納部に収納された右ポスター半分を右表示面に送出して表示する。左枠１００の左枠収納部一列目１１０に収納されている一列目右半分ポスター２１５を、右枠２００の右枠表示部２５０に送出するため、図４に示すように枠移動用アクチュエータ５００で、左枠１００を前に、右枠を後に移動させて、一列目右半分ポスター２１０と右枠表示部２５０とを合致させる。
【００１８】合致させたのち、図５に示すようにポスター移動用アクチュエータ６００の電磁石６１０で、一列目右半分ポスター２１５の分割縁に取り付けた永久磁石５０を吸引して選択する。
【００１９】選択されたこの一列目右半分ポスター２１５は、図６に示す様にポスター移動用アクチュエータ６００で引っ張られて、ローラーベアリング４００上を滑って右枠表示部２１０に向かって移動し、図７に示す様に完全に引っ張り出されて右枠２００側の表示が完了する。
【００２０】つぎに右収納部一列目２１０に収納された左ポスター半分を左表示面に送出して左表示するのであるが、これは上記した左表示と、左右を逆にした同要領の手順で行われる。
【００２１】右枠２００の右枠収納部一列目２１０に収納されている一列目左半分ポスター１１５を、左枠１００の左枠表示部１５０に送出するため、図８に示すように枠移動用アクチュエータ５００で、左枠１００を後に、右枠を前に移動させて、右枠収納部一列目２１０と左枠表示部１５０とを合致させる。
【００２２】合致させたのち、図９に示すようにポスター移動用アクチュエータ６００の電磁石６１０で、一列目左半分ポスター１１５の分割縁に取り付けた永久磁石５０を吸引して選択する。
【００２３】選択されたこの一列目左半分ポスター１１５を、図１０に示す様にポスター移動用アクチュエータ６００で左枠表示部１５０に完全に引き出して、左枠１００側の表示が完了する。
【００２４】以上により左右のポスターが一対となって表示が完了するが、左右の表示面がずれているので、図１１に示す様に枠移動用アクチュエータ５００で、左枠１００と、右枠２００の表示面を一致させる。
【００２５】表示面を一致させて状態に於いて、左右の分割縁の間に若干の隙間が生じるので、双方のポスター移動用アクチュエータ６００の電磁石６１０を極性反転して、分割縁間の隙間を詰めて密着させ、図１２に示す様に表示が完成するのである。
【００２６】つぎに、このポスター表示を解消し、３列目のポスターを表示する表示替えの手順について説明する。まずは左枠表示部１５０に現在表示されている一列目左半分ポスター１１５を左枠収納部一列目１１０に戻すのであるが、先に説明したポスターを表示部に送り出す手順と逆の手順で行われる。
【００２７】表示が完成している図１２に示す状態から、双方のポスター移動用アクチュエータ６００の電磁石６１０で左右のポスターを吸引し、双方の分割縁に隙間を空けて、図１１に示す状態にしたのち、図１０に示す様に、左右の枠移動用アクチュエータ５００で左右の枠を前後に移動させ、右枠収納部一列目２１０と左枠表示部１５０とを合致させて、
【００２８】図９に示す様にポスター移動用アクチュエータ６００で一列目左半分ポスター１１５を押し戻して右枠収納部一列目２１０に押し戻したのち、図８に示す様に電磁石６１０で磁石５０を反発させ、完全に収納する。
【００２９】これにより左枠の表示が解消されるので、つぎは解消されたこの左枠表示部１５０に、右枠収納部三列目２３０に収納されている三列目左半分ポスター１３５を表示する。
【００３０】図１３に示す様に、枠移動用アクチュエータ５００で、左枠収納部三列目１３０と右枠表示部２５０とを合致させて三列目右半分ポスター１３５をポスター移動用アクチュエータ６００の電磁石６１０で吸引選択して、図１４に示す様に、右枠表示部２１０に完全に引き込んで右枠の表示が完了する。
【００３１】このあと、右表示を解消して三枚目右半分ポスター２３５に表示替えを行ため、右枠表示部２５０に現在表示されている一列目右半分ポスター１１５を左枠収納部一列目１１０に戻す。
【００３２】図１５に示す様に、左右の枠移動用アクチュエータ５００で左右の枠を前後に移動させ、左枠収納部一列目１１０と右枠表示部２５０とを合致させて、
【００３３】図１６に示す様にポスター移動用アクチュエータ６００で一列目右半分ポスター２１５を押し戻し、更に電磁石の磁極を反転させて、左枠収納部一列目１１０に完全に収納する。
【００３４】これにより右枠の表示が解消されるので、つぎは解消されたこの右枠表示部２５０に、左枠収納部三列目１３０に収納されている三列目右半分ポスター２３５を表示する。
【００３５】図１７に示すように双方の枠を、左右の枠移動用アクチュエータ５００で前に移動させ、左枠収納部三列目１１０と右枠表示部２５０とを合致させたのち、電磁石６１０で三列目右半分ポスター２３５を吸引選択し、
【００３６】図１８に示す様にポスター移動用アクチュエータ６００でこれを左枠収納部三列目２３０から完全に引き出して、右枠２００の表示部２５０に完全に挿入する事により右表示が完了するののである。そして上記
【０２０５】〜【０２０６】に記述した様に表示面の分割縁を一致させて、表示替えが完了するのである。
【発明の効果】ほぼポスター一枚分の表示面積で、自在な表示替えが出来るので、従来の広告看板があった場所に本発明を置き換えて、表示替え可能な広告看板を実現できる。更に、
シリーズ写真を同一位置に順次展示したり、一人の画家の絵を時代順に同一位置に順次展示する事が出来る。
【図面の簡単な説明】
【図１】斜視図
【図２】正面図
【図３】上面図
【図４】右表示部と左収納部一列目を合致させた図
【図５】一列目右半分ポスターを選択した図
【図６】一列目右半分ポスターを引き出している図
【図７】一列目右半分ポスターの右枠表示が完了した図
【図８】左表示部と右収納部一列目を合致させた図
【図９】一列目左半分ポスターを選択した図
【図１０】一列目左半分ポスターの左枠表示が完了した図
【図１１】左右の枠を合致させた図
【図１２】左右のポスター分割縁を密着させて表示が完了した図
【図１３】左表示部と右収納部三列目を合致させた図
【図１４】三列目左半分ポスターの左枠表示が完了した図
【図１５】右表示部と左収納部一列目を合致させた図
【図１６】一列目左半分ポスターを左枠収納部へ収納が完了した図
【図１７】左表示部と右収納部三列目を合致させた三列目左半分ポスターを選択した図
【図１８】三列目右半分ポスターの右枠表示が完了した図
【符号の説明】
１００  左枠
１１０  左収納部一列目
１１５    一列目右半分ポスター
１２０  左収納部二列目
１２５  二列目右半分ポスター
１３０  左収納部三列目
１３５    三列目右半分ポスター
１５０    左表示部
２００  右枠
２１０  右収納部一列目
２１５    一列目左半分ポスター
２２０    右収納部二列目
２２５  二列目左半分ポスター
２３０  右収納部三列目
２３５  三列目左半分ポスター
２５０  右表示部
４００    ローラーベアリング
５００  枠移動用アクチュエータ
５５０  モーター
６００  ポスター移動用アクチュエータ
６１０    電磁石
６５０  モーター
【図１】
2005031362.tif 000003
【図２】
2005031362.tif 000004
【図３】
2005031362.tif 000005
【図４】
2005031362.tif 000006
【図５】
2005031362.tif 000007
【図６】
2005031362.tif 000008
【図７】
2005031362.tif 000009
【図８】
2005031362.tif 000010
【図９】
2005031362.tif 000011
【図１０】
2005031362.tif 000012
【図１１】
2005031362.tif 000013
【図１２】
2005031362.tif 000014
【図１３】
2005031362.tif 000015
【図１４】
2005031362.tif 000016
【図１５】
2005031362.tif 000017
【図１６】
2005031362.tif 000018
【図１７】
2005031362.tif 000019
【図１８】
2005031362.tif 000020